【手続補正書】
【提出日】平成25年9月10日(2013.9.10)
【手続補正１】
【補正対象書類名】特許請求の範囲
【補正対象項目名】全文
【補正方法】変更
【補正の内容】
【特許請求の範囲】
【請求項１】
所定の電圧値の電源電圧を生成する複数の電源回路による電源供給状態を制御する電源制御装置であって、
前記複数の電源回路のうち第１の電源回路が所定の電圧値の電源電圧を出力している間、前記複数の電源回路のうち前記第１の電源回路以外の第２の電源回路に所定の電圧値の電源電圧を生成させる電源制御手段と、
前記第１の電源回路から出力される電源電圧に基づく信号を検出することにより前記第１の電源回路から出力される電源電圧の電圧値と所定の電圧値との差が所定以上であるか判定する判定手段と、
前記判定手段により前記第１の電源回路から出力される電源電圧の電圧値と所定の電圧値との差が所定以上であると判定された場合に前記第１の電源回路による電源電圧の生成を停止させる第１の停止手段と、
前記第２の電源回路から出力される電源電圧の電圧値が異常である場合に前記判定手段が検出する前記信号の値を変化させ、前記判定手段により前記第１の電源回路から出力される電源電圧の電圧値と所定の電圧値との差が所定以上であると判定させることにより前記第１の電源回路による電源電圧の生成を停止させる第２の停止手段と、
前記第１の電源回路に電源電圧の生成を停止させることにより前記電源制御手段の制御に基づく前記第２の電源回路による電源電圧の生成を停止させる第３の停止手段とを有することを特徴とする電源制御装置。
【請求項２】
前記第１の電源回路から出力された電源電圧を分圧した分圧電圧を生成する分圧電圧生成手段を有し、
前記判定手段は、前記分圧電圧生成手段が生成した分圧電圧と所定の電圧値との差が所定以上であるか判定し、
前記第２の停止手段は、前記第２の電源回路から出力される電源電圧の電圧値が異常である場合に、前記分圧電圧生成手段が生成する分圧電圧を変化させることを特徴とする請求項１に記載の電源制御装置。
【請求項３】
前記判定手段は、前記第１の電源回路が電源電圧の生成を開始してから所定時間経過後に前記第１の電源回路から出力されている電源電圧の電圧値と所定の電圧値との差が所定以上であるか判定することを特徴とする請求項１または２に記載の電源制御装置。
【請求項４】
前記第１の電源回路から出力される電源電圧に基づく信号を検出した結果に基づき前記第１の電源回路が所定の電圧値の電源電圧を生成するよう制御する制御手段を有することを特徴とする請求項１〜３のいずれか１項に記載の電源制御装置。
【請求項５】
前記第２の停止手段は、前記第２の電源回路から出力される電源電圧の電圧値が異常である場合に前記判定手段が検出する前記信号の値を上昇させることを特徴とする請求項１〜４のいずれか１項に記載の電源制御装置。
【請求項６】
前記第２の停止手段は、前記第２の電源回路の出力を前記第１の電源回路に接続するためのスイッチを接続することにより前記判定手段が検出する前記信号の値を変化させることを特徴とする請求項１〜５のいずれか１項に記載の電源制御装置。
【請求項７】
前記スイッチはトランジスタによって構成されることを特徴とする請求項６に記載の電源制御装置。
【請求項８】
前記第２の停止手段は、前記第２の電源回路から出力される電源電圧の電圧値が所定値以下となった場合に前記判定手段が検出する前記信号の値を変化させることを特徴とする請求項１〜７のいずれか１項に記載の電源制御装置。
【請求項９】
所定の電圧値の電源電圧を生成する複数の電源回路のうち、第１の電源回路が所定の電源電圧を出力している間、前記第１の電源回路以外の第２の電源回路に所定の電圧値の電源電圧を生成させる電源システムにおける電源制御方法であって、
前記第１の電源回路から出力される電源電圧に基づく信号を検出することにより前記第１の電源回路から出力される電源電圧の電圧値と所定の電圧値との差が所定以上であるか判定する判定工程と、
前記第１の電源回路から出力される電源電圧の電圧値と所定の電圧値との差が所定以上であると判定された場合に前記第１の電源回路による電源電圧の生成を停止させる第１の停止工程と、
前記第２の電源回路から出力される電源電圧の電圧値が異常である場合に前記判定工程において検出する前記信号の値を変化させ、前記判定工程において前記第１の電源回路から出力される電源電圧の電圧値と所定の電圧値との差が所定以上であると判定させることにより前記第１の電源回路による電源電圧の生成を停止させる第２の停止工程と、
前記第１の電源回路に電源電圧の生成を停止させることにより前記第２の電源回路による電源電圧の生成を停止させる第３の停止工程とを有することを特徴とする電源制御方法。
【手続補正２】
【補正対象書類名】明細書
【補正対象項目名】発明の名称
【補正方法】変更
【補正の内容】
【発明の名称】電源制御装置および電源制御方法
【手続補正３】
【補正対象書類名】明細書
【補正対象項目名】０００１
【補正方法】変更
【補正の内容】
【０００１】
本発明は、複数の電源ＩＣを有する電源制御装置および電源制御方法に関し、特に、複数の電源ＩＣのそれぞれが、当該電源ＩＣに設定された電圧値の電源電圧を生成して負荷へ出力する電源制御装置および電源制御方法に関する。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
上記問題点を解決するために本発明の電源制御装置は、所定の電圧値の電源電圧を生成する複数の電源回路による電源供給状態を制御する電源制御装置であって、
前記複数の電源回路のうち第１の電源回路が所定の電圧値の電源電圧を出力している間、前記複数の電源回路のうち前記第１の電源回路以外の第２の電源回路に所定の電圧値の電源電圧を生成させる電源制御手段と、
前記第１の電源回路から出力される電源電圧に基づく信号を検出することにより前記第１の電源回路から出力される電源電圧の電圧値と所定の電圧値との差が所定以上であるか判定する判定手段と、
前記判定手段により前記第１の電源回路から出力される電源電圧の電圧値と所定の電圧値との差が所定以上であると判定された場合に前記第１の電源回路による電源電圧の生成を停止させる第１の停止手段と、
前記第２の電源回路から出力される電源電圧の電圧値が異常である場合に前記判定手段が検出する前記信号の値を変化させ、前記判定手段により前記第１の電源回路から出力される電源電圧の電圧値と所定の電圧値との差が所定以上であると判定させることにより前記第１の電源回路による電源電圧の生成を停止させる第２の停止手段と、
前記第１の電源回路に電源電圧の生成を停止させることにより前記電源制御手段の制御に基づく前記第２の電源回路による電源電圧の生成を停止させる第３の停止手段とを有することを特徴とする。
また、本発明による電源制御方法は、所定の電圧値の電源電圧を生成する複数の電源回路のうち、第１の電源回路が所定の電源電圧を出力している間、前記第１の電源回路以外の第２の電源回路に所定の電圧値の電源電圧を生成させる電源システムにおける電源制御方法であって、
前記第１の電源回路から出力される電源電圧に基づく信号を検出することにより前記第１の電源回路から出力される電源電圧の電圧値と所定の電圧値との差が所定以上であるか判定する判定工程と、
前記第１の電源回路から出力される電源電圧の電圧値と所定の電圧値との差が所定以上であると判定された場合に前記第１の電源回路による電源電圧の生成を停止させる第１の停止工程と、
前記第２の電源回路から出力される電源電圧の電圧値が異常である場合に前記判定工程において検出する前記信号の値を変化させ、前記判定工程において前記第１の電源回路から出力される電源電圧の電圧値と所定の電圧値との差が所定以上であると判定させることにより前記第１の電源回路による電源電圧の生成を停止させる第２の停止工程と、
前記第１の電源回路に電源電圧の生成を停止させることにより前記第２の電源回路による電源電圧の生成を停止させる第３の停止工程とを有することを特徴とする。
【手続補正６】
【補正対象書類名】明細書
【補正対象項目名】００１９
【補正方法】変更
【補正の内容】
【００１９】
【図１】本発明による電源制御装置を適用した電力供給システムの実施の一形態の構成を示すブロック図である。
【図２】図１に示した電力供給システムに電源が投入されたときの動作を説明するためのタイミングチャートである。
【図３】図１に示した電力供給システムにおいて電源電圧の出力が開始された後、第１の電源ＩＣから出力された電源電圧に異常が発生したときの動作を説明するためのタイミングチャートである。
【図４】図１に示した電力供給システムにおいて電源電圧の出力が開始された後、第２の電源ＩＣから出力された電源電圧に異常が発生したときの動作を説明するためのタイミングチャートである。
【図５】本発明による電源制御装置を適用した電力供給システムの他の形態の構成を説明するためのブロック図である。
【手続補正７】
【補正対象書類名】明細書
【補正対象項目名】００２１
【補正方法】変更
【補正の内容】
【００２１】
図１は、本発明による電源制御装置を適用した電力供給システムの実施の一形態の構成を示すブロック図である。
【手続補正８】
【補正対象書類名】明細書
【補正対象項目名】００４３
【補正方法】変更
【補正の内容】
【００４３】
図１に示した電力供給システムに電源が投入されると、タイマー部１０９は、リセット状態信号をリセットアウト端子１１０へ出力する。このとき、電源ＩＣ１００は、電源電圧の生成を開始していない。そのため、電圧監視部１１３から信号ｂが出力されておらず、電源ＩＣ１２０も電源電圧の生成を開始していない。
【手続補正９】
【補正対象書類名】明細書
【補正対象項目名】００８２
【補正方法】変更
【補正の内容】
【００８２】
また、本発明による電源制御装置による電力供給システムは図１に示した構成に限定されない。
【手続補正１０】
【補正対象書類名】明細書
【補正対象項目名】００８３
【補正方法】変更
【補正の内容】
【００８３】
図５は、本発明による電源制御装置による電力供給システムの他の形態の構成を説明するためのブロック図である。